(57)【要約】【課題】駆動電圧を効果的に向上させると共に、フリッカー現象を改善し、消費電力を低減する。【解決手段】本発明によると、１つの画素領域内の第１電極および第２電極のそれぞれに薄膜トランジスタを接続し、第１電極と第２電極の電圧差を利用して２倍の駆動電圧を使用することで、液晶表示装置の透過率を向上させることができる。また、奇数番目の行の第１電極および第２電極に印加されるデータ電圧を、偶数番目の行では交差して印加できる構造を備えることで、液晶表示装置をカラム反転方式でドット反転の形態で駆動させることができる。その結果、データ駆動回路は、カラム反転方式で出力されて消費電力を低減させると共に、駆動回路の発熱を防止することができる。さらに、液晶パネルは、ドット反転方式で駆動され、フリッカー現象を効果的に改善することができる。【選択図】図６
2018109766.tif 000002
【特許請求の範囲】
【請求項１】
互いに平行に順次離隔する第１ゲート配線ないし第４ゲート配線と、
前記第１ゲート配線ないし前記第４ゲート配線と交差して第１画素領域および第２画素領域を定義する第１データ配線および第２データ配線と、
前記第１画素領域および前記第２画素領域のそれぞれに含まれた第１電極および第２電極と、
前記第２ゲート配線および前記第１データ配線と接続され、前記第１画素領域の前記第１電極に第１データ電圧を供給する第１薄膜トランジスタと、
前記第２ゲート配線および前記第２データ配線と接続され、前記第１画素領域の前記第２電極に前記第１データ電圧と反対レベルの第２データ電圧を供給する第２薄膜トランジスタと、
前記第４ゲート配線および前記第１データ配線と接続され、前記第２画素領域の前記第２電極に前記第１データ電圧を供給する第３薄膜トランジスタと、
前記第４ゲート配線および前記第２データ配線と接続され、前記第２画素領域の前記第１電極に前記第２データ電圧を供給する第４薄膜トランジスタと、
を備える液晶表示装置。
【請求項２】
前記第１ゲート配線ないし前記第４ゲート配線と交差して第３画素領域および第４画素領域を定義する第３データ配線と、
前記第３画素領域および前記第４画素領域のそれぞれに含まれた第１電極および第２電極と、
前記第１ゲート配線および前記第２データ配線と接続され、前記第３画素領域の前記第１電極に前記第２データ電圧を供給する第５薄膜トランジスタと、
前記第１ゲート配線および前記第３データ配線と接続され、前記第３画素領域の前記第２電極に前記第２データ電圧と反対レベルの第３データ電圧を供給する第６薄膜トランジスタと、
前記第３ゲート配線および前記第２データ配線と接続され、前記第４画素領域の前記第２電極に前記第２データ電圧を供給する第７薄膜トランジスタと、
前記第３ゲート配線および前記第３データ配線と接続され、前記第４画素領域の前記第１電極に前記第３データ電圧を供給する第８薄膜トランジスタと、
をさらに備える、請求項１に記載の液晶表示装置。
【請求項３】
前記第１ゲート配線ないし前記第４ゲート配線にターンオン電圧を出力するゲート駆動部をさらに備え、
前記ゲート駆動部は、前記第１ゲート配線ないし前記第４ゲート配線にターンオン電圧を順次出力する、
請求項２に記載の液晶表示装置。
【請求項４】
データ配線にデータ電圧をカラム反転方式で出力するデータ駆動部をさらに備える、
請求項３に記載の液晶表示装置。
【請求項５】
前記データ駆動部は、互いに隣り合う前記データ配線に、極性が反転した前記データ電圧を出力する、
請求項４に記載の液晶表示装置。
【請求項６】
前記第１電極および前記第２電極は、平面視において、各画素領域の中心線を基準にして、対称に折れた形状を有する、
請求項５に記載の液晶表示装置。
【請求項７】
前記第１薄膜トランジスタないし前記第８薄膜トランジスタのそれぞれは、
ゲート電極と、前記ゲート電極の上部に互いに離隔して形成されるソース電極およびドレイン電極を備え、
前記ドレイン電極のそれぞれは、前記第１電極または前記第２電極に接続され、
それぞれの前記ドレイン電極と、前記ドレイン電極の下部に配置された共通配線が重なる領域で定義されるストレージキャパシタを備える、
請求項２に記載の液晶表示装置。
【請求項８】
前記ドレイン電極は、第１ドレイン電極ないし第３ドレイン電極を含み、
前記第１ドレイン電極ないし前記第３ドレイン電極のそれぞれは、伸延部および接続部を含み、
前記第１ドレイン電極の前記伸延部は、第１幅および第１長さを有し、前記接続部は、第１面積を有し、
前記第２ドレイン電極の前記伸延部は、前記第１幅および前記第１長さより長い第２長さを有し、前記接続部は、前記第１面積より小さい第２面積を有して、
前記第３ドレイン電極の前記伸延部は、前記第１幅および前記第１長さを有し、前記接続部は、前記第２面積より大きい第３面積を有して、
前記第１ドレイン電極ないし前記第３ドレイン電極のそれぞれの前記伸延部および前記接続部を含む面積は、互いに同じである、
請求項７に記載の液晶表示装置。
【請求項９】
前記第１画素領域の前記第１電極および前記第２電極のそれぞれに、前記第１ドレイン電極が接続され、
前記第２画素領域の前記第１電極に前記第３ドレイン電極が接続され、前記第２電極に前記第２ドレイン電極が接続される、
請求項８に記載の液晶表示装置。
【請求項１０】
前記第１電極および前記第２電極の下部に配置される基板と、
前記第１電極および前記第２電極の上部に配置されるナノカプセル液晶層と、
をさらに備える、請求項６または請求項９に記載の液晶表示装置。
【請求項１１】
前記ナノカプセル液晶層は、フィルム状からなる、
請求項１０に記載の液晶表示装置。
【請求項１２】
前記基板の下部および前記ナノカプセル液晶層の上部にそれぞれ配置され、偏光軸が互いに直交する第１偏光板および第２偏光板をさらに備える、
請求項１１に記載の液晶表示装置。
【発明の詳細な説明】
【技術分野】
【０００１】
本発明は、液晶表示装置に関するものであって、特にフリッカー現象を効果的に改善したナノカプセル液晶層を備える液晶表示装置に関するものである。
【背景技術】
【０００２】
最近、情報化に伴ってディスプレイ分野も急速に発展しており、それに応じて薄型・軽量・低消費電力の長所を持つフラット表示装置（ｆｌａｔ  ｐａｎｅｌ  ｄｉｓｐｌａｙ  ｄｅｖｉｃｅ：ＦＰＤ）として、液晶表示装置（ｌｉｑｕｉｄ  ｃｒｙｓｔａｌ  ｄｉｓｐｌａｙ  ｄｅｖｉｃｅ：ＬＣＤ）やプラズマ表示装置（ｐｌａｓｍａ  ｄｉｓｐｌａｙ  ｐａｎｅｌ  ｄｅｖｉｃｅ：ＰＤＰ）、電気発光表示装置（ｅｌｅｔｒｏｌｕｍｉｎｅｓｃｅｎｃｅ  ｄｉｓｐｌａｙ  ｄｅｖｉｃｅ：ＥＬＤ）、電界放出表示装置（ｆｉｅｌｄ  ｅｍｉｓｓｉｏｎ  ｄｉｓｐｌａｙ  ｄｅｖｉｃｅ：ＦＥＤ）などが紹介され、既存のブラウン管（ｃａｔｈｏｄｅ  ｒａｙ  ｔｕｂｅ：ＣＲＴ）に代わって脚光を浴びている。
【０００３】
その中でも液晶表示装置は、動画像表示に優れており、高コントラスト比を有することから、ノートパソコン、モニタ、テレビなどの分野で最も活発に使用されている。
【０００４】
図１は、従来の液晶表示装置を概略的に示す断面図である。
【０００５】
図１に示すように、従来の液晶表示装置１００は、互いに対向して離隔する第１基板２０および第２基板４０と、第１基板２０と第２基板４０の間に形成される液晶層５０を備える。
【０００６】
具体的に、第１基板２０の内側面上における各画素領域Ｐには、ゲート電極２２が形成され、ゲート電極２２の上部には、ゲート絶縁層２４が形成される。
【０００７】
ゲート電極２２に対応するゲート絶縁層２４の上部には、半導体層２６が形成され、半導体層２６の上部には、互いに離隔するソース電極２８およびドレイン電極３０が形成される。
【０００８】
ゲート電極２２、半導体層２６、ソース電極２８およびドレイン電極３０は、薄膜トランジスタ（ｔｈｉｎ  ｆｉｌｍ  ｔｒａｎｓｉｓｔｏｒ：ＴＦＴ）Ｔｒを構成する。
【０００９】
薄膜トランジスタＴｒの上部には、保護層３２が形成され、保護層３２の上部には、ドレイン電極３０に接続される画素電極３４が形成される。
【００１０】
第１基板２０の外側面には、第１偏光板３６が形成される。
【００１１】
そして、第２基板４０の内側面上における画素領域Ｐの境界には、ブラックマトリクス４２が形成され、ブラックマトリクス４２の下部における画素領域Ｐには、カラーフィルタ層４４が形成されて、カラーフィルタ層４４の下部には、共通電極４６が形成される。
【００１２】
第２基板４０の外側面には、第２偏光板４８が形成される。
【００１３】
そして、第１基板２０の画素電極３４と第２基板４０の共通電極４６の間には、複数の液晶分子５２を含む液晶層５０が形成される。
【００１４】
かかる液晶表示装置１０において、ゲート電極２２に印加されるゲート信号によって薄膜トランジスタＴｒがターンオンすると、データ信号が薄膜トランジスタＴｒを介して画素電極３４に印加され、画素電極３４と共通電極４６の間に電場（Ｅｌｅｃｔｒｉｃ  Ｆｉｅｌｄ）が生成される。
【００１５】
そして、液晶層５０の複数の液晶分子５２は、電場によって再配列され、該当画素領域Ｐは、データ信号に対応する階調を表示する。
【００１６】
ところが、従来の液晶表示装置１００は、二枚の基板２０、４０を別途作製した後、両基板２０、４０を貼り合わせる場合、アライメント工程がさらに必要という短所がある。
【００１７】
また、液晶を配向させるために配向膜の印刷およびラビング工程が必要となるが、かかる液晶配向工程によって歩留まりが低下するという問題がある。
【００１８】
また、両基板２０、４０を貼り合わせて液晶を注入した後、常に一定のギャップを維持しなければならないが、外部の圧力や衝撃によって両基板２０、４０間における間隔が変わると、表示品質が低下するという問題がある。
【００１９】
そして、共通配線から供給される一定の共通電圧を基準にして、データ配線からデータ電圧が正極性（＋）と負極性（−）を繰り返して交互に供給され、データ電圧の１／２しか駆動電圧に用いることができないため、駆動電圧が低いという問題がある。
【発明の概要】
【発明が解決しようとする課題】
【００２０】
本発明は、駆動電圧を効果的に向上させると共に、フリッカー現象を改善し、消費電力を低減することができる液晶表示装置を提供することを目的とする。
【課題を解決するための手段】
【００２１】
本発明は、前述したような課題を達成するため、互いに平行に、順次離隔する第１ゲート配線ないし第４ゲート配線と、前記第１ゲート配線ないし前記第４ゲート配線と交差して第１画素領域および第２画素領域を定義する第１データ配線および第２データ配線と、前記第１画素領域および前記第２画素領域のそれぞれに含まれた第１電極および第２電極と、前記第２ゲート配線および前記第１データ配線に接続され、前記第１画素領域の前記第１電極に第１データ電圧を供給する第１薄膜トランジスタと、前記第２ゲート配線および前記第２データ配線に接続され、前記第１画素領域の前記第２電極に、前記第１データ電圧と反対レベルの第２データ電圧を供給する第２薄膜トランジスタと、前記第４ゲート配線および前記第１データ配線に接続され、前記第２画素領域の前記第２電極に前記第１データ電圧を供給する第３薄膜トランジスタと、前記第４ゲート配線および前記第２データ配線に接続され、前記第２画素領域の前記第１電極に前記第２データ電圧を供給する第４薄膜トランジスタとを備える液晶表示装置を提供する。
【００２２】
また、前記第１ゲート配線ないし前記第４ゲート配線と交差して第３画素領域および第４画素領域を定義する第３データ配線と、前記第３画素領域および前記第４画素領域のそれぞれに含まれた第１電極および第２電極と、前記第１ゲート配線および前記第２データ配線に接続され、前記第３画素領域の前記第１電極に前記第２データ電圧を供給する第５薄膜トランジスタと、前記第１ゲート配線および前記第３データ配線に接続され、前記第３画素領域の前記第２電極に、前記第２データ電圧と反対レベルの第３データ電圧を供給する第６薄膜トランジスタと、前記第３ゲート配線および前記第２データ配線に接続され、前記第４画素領域の前記第２電極に前記第２データ電圧を供給する第７薄膜トランジスタと、前記第３ゲート配線および前記第３データ配線に接続され、前記第４画素領域の前記第１電極に前記第３データ電圧を供給する第８薄膜トランジスタとをさらに備えることができる。
【００２３】
ここで、前記第１ゲート配線ないし前記第４ゲート配線にターンオン電圧を出力するゲート駆動部をさらに備え、前記ゲート駆動部は、前記第１ゲート配線ないし前記第４ゲート配線にターンオン電圧を順次出力することができる。
【００２４】
そして、前記データ配線にカラム反転方式でデータ電圧を出力するデータ駆動部をさらに備えることができる。
【００２５】
ここで、前記データ駆動部は、互いに隣り合う前記データ配線に、極性が反転した前記データ電圧を出力することができる。
【００２６】
また、前記第１電極および前記第２電極は、平面視において、各画素領域の中心線を基準にして対称に折れた形状を有することができる。
【００２７】
そして、前記第１薄膜トランジスタないし前記第８薄膜トランジスタのそれぞれは、ゲート電極と、前記ゲート電極の上部に互いに離隔して形成されるソース電極およびドレイン電極を含み、前記ドレイン電極のそれぞれは、前記第１電極または前記第２電極に接続され、それぞれの前記ドレイン電極と前記ドレイン電極の下部に配置された共通配線が重なる領域で定義されるストレージキャパシタを備えることができる。
【００２８】
ここで、前記ドレイン電極は、第１ドレイン電極ないし第３ドレイン電極を含み、前記第１ドレイン電極ないし前記第３ドレイン電極のそれぞれは、伸延部と接続部を含み、前記第１ドレイン電極の前記伸延部は、第１幅と第１長さを有し、前記接続部は、第１面積を有し、前記第２ドレイン電極の前記伸延部は、前記第１幅と前記第１長さより長い第２長さを有し、前記接続部は、前記第１面積より小さい第２面積を有して、前記第３ドレイン電極の前記伸延部は、前記第１幅と前記第１長さを有し、前記接続部は、前記第２面積より大きい第３面積を有して、前記第１ドレイン電極ないし前記第３ドレイン電極のそれぞれの前記伸延部および前記接続部を含む面積は、互いに同じであり得る。
【００２９】
そして、前記第１画素領域の前記第１電極および前記第２電極のそれぞれに第１ドレイン電極を接続し、前記第２画素領域の前記第１電極に前記第３ドレイン電極を接続して、前記第２電極に前記第２ドレイン電極を接続することができる。
【００３０】
そして、前記第１電極および前記第２電極の下部に配置される基板、並びに前記第１電極および前記第２電極の上部に配置されるナノカプセル液晶層をさらに備えることができる。
【００３１】
ここで、前記ナノカプセル液晶層は、フィルム状にすることができる。
【００３２】
また、前記基板の下部および前記ナノカプセル液晶層の上部にそれぞれ配置され、偏光軸が互いに直交する第１偏光板および第２偏光板をさらに備えることができる。
【発明の効果】
【００３３】
本発明は、１つの画素領域内の第１電極と第２電極のそれぞれに薄膜トランジスタを接続し、第１電極と第２電極の電圧差を利用して２倍の駆動電圧を使用することで液晶表示装置の透過率を向上させることができる。
【００３４】
また、奇数番目の行の第１電極および第２電極に印加されるデータ電圧を、偶数番目の行では、交差して印加できる構造を備えることで、液晶表示装置をカラム反転方式でドット反転の形態で駆動させることができる。その結果、ドット反転方式で具現化する場合に発生する駆動回路の発熱を防止することができる。
【００３５】
さらに、電圧は、駆動回路からカラム反転の形態で出力されるので、消費電力を低減させることができ、液晶パネルは、ドット反転の形態で駆動されるので、フリッカー現象を効果的に改善することができる。
【図面の簡単な説明】
【００３６】
【図１】従来の液晶表示装置を概略的に示す断面図である。
【図２】本発明の実施例が適用される液晶表示装置を概略的に示す断面図である。
【図３】本発明の実施例が適用される液晶表示装置を概略的に示す構成図である。
【図４Ａ】本発明の第１実施例に係る液晶表示装置の平面図である。
【図４Ｂ】本発明の第１実施例に係る液晶表示装置の画素領域を概略的に示す図面である。
【図４Ｃ】本発明の第１実施例に係る液晶表示装置の燃えた（ｂｕｒｎｉｎｇ）駆動回路を示す画像である。
【図４Ｄ】液晶パネルの各画素領域の極性を示す図面である。
【図５Ａ】本発明の第２実施例に係る液晶表示装置の平面図である。
【図５Ｂ】本発明の第２実施例に係る液晶表示装置のドレイン電極の形状を概略的に示す拡大図である。
【図６】本発明の第２実施例に係る液晶表示装置の画素領域を概略的に示す図面である。
【図７Ａ】本発明の第２実施例の一例であって、データ駆動回路から出力される電圧の極性の反転周期を示す図面である。
【図７Ｂ】液晶パネルの各画素領域の極性を示す図面である。
【図８Ａ】本発明の変形例を示す図面である。
【図８Ｂ】本発明の変形例を示す図面である。
【図９Ａ】本発明の変形例を示す図面である。
【図９Ｂ】本発明の変形例を示す図面である。
【発明を実施するための形態】
【００３７】
以下、図面を参照し、本発明の実施例を説明する。
【００３８】
第１実施例
図２は、本発明の実施例が適用される液晶表示装置を概略的に示す断面図である。
【００３９】
本発明を説明するに当たり、高電圧駆動が必要なナノカプセル液晶層を備える液晶表示装置を一例に説明するが、これに限定されるものではない。
【００４０】
図２に示すように、本発明の第１実施例に係る液晶表示装置２００は、基板１２０と、基板１２０上に配置される第１電極Ｖｐ１および第２電極Ｖｐ２と、第１電極Ｖｐ１および第２電極Ｖｐ２の上部に配置されるナノカプセル液晶層１５０と、基板１２０の下部およびナノカプセル液晶層１５０の上部にそれぞれ配置される第１偏光板１３６および第２偏光板１４８を備える。
【００４１】
ここで、ナノカプセル液晶層１５０は、可視光線の波長領域より小さいナノサイズを有し、不規則に配列された複数の液晶分子１５１で内部が満たされたナノカプセル１５２がバッファー層１５３に分散してなる。
【００４２】
すなわち、ナノカプセルのそれぞれは、数ないし数百ナノメートルの直径を有する高分子カプセルであって、ポジティブまたはネガティブネマチック液晶で形成することができ、複数の液晶分子は、ネマチック液晶（ｎｅｍａｔｉｃ  ＬＣ）や強誘電性液晶（ＦＬＣ）若しくはフレキソ液晶（ｆｌｅｘｏ  ｅｌｅｃｔｒｉｃ  ＬＣ）であり得る。
【００４３】
かかるナノカプセル液晶層１５０は、第１電極Ｖｐ１および第２電極Ｖｐ２の上部にフィルム状に形成することができる。
【００４４】
したがって、２枚の基板からなる従来の液晶表示装置（図１の１００）と異なって、１枚の基板１２０だけで液晶表示装置２００を製造できるようになり、軽量・薄型の液晶表示装置を具現化することができ、製造コストを節減することができる。
【００４５】
また、ナノカプセル液晶層１５０は、外部の圧力や衝撃によって間隔が狂ったり変わったりする問題が生じないので、柔軟な材質であるプラスチックなどで基板１２０を形成することで、フレキシブルな液晶表示装置に効果的に適用することができる。
【００４６】
また、ナノカプセル液晶層１５０は、電界が印加されていないと光学的に等方性を有するが、電界が印加されるとナノカプセル１５２内の液晶分子１５１が電界方向に整列され、ナノカプセル液晶層１５０へ入射した光を複屈折させる性質を有する。
【００４７】
したがって、ナノカプセル液晶層１５０は、印加された電界によって光学的に光軸を形成することができ、これを利用した光学特性の制御を通じて光を透過させることができる。
【００４８】
また、第１偏光板１３６は、基板１２０の下部に配置されたバックライト１７０などを通じて、ナノカプセル液晶層１５０へ入射する光を偏光させ、第２偏光板１４８は、ナノカプセル液晶層１５０に入射した光がナノカプセル液晶層１５０の複屈折効果によって偏光されることなく、そのまま透過する場合、それを遮断させる。
【００４９】
ここで、第１偏光板１３６および第２偏光板１４８の偏光軸は、互いに直交する。すなわち、第１偏光板１３６の偏光軸が０°（または９０°）であれば、第２偏光板１４８の偏光軸は９０°（または０°）であり得る。
【００５０】
以下、ナノカプセル液晶層１５０を備える液晶表示装置２００の駆動原理を説明する。
【００５１】
まず、第１電極Ｖｐ１および第２電極Ｖｐ２に電界が印加されていない場合、ナノカプセル液晶層１５０が、第１偏光板１３６を通じて入射した光をそのまま通過させることで、液晶表示装置２００は、ブラック状態を表示することになる。
【００５２】
すなわち、電界が印加されていないオフ状態では、バックライト１７０から入射し、第１偏光板１３６を経て特定の角度に選択的に透過した後、ナノカプセル液晶層１５０へ入射した光は、殆ど散乱することなく、そのままナノカプセル液晶層１５０を透過して第２偏光板１４８に到達することになる。
【００５３】
結果的に、０°の偏光軸を有する第１偏光板１３６を透過した光は、そのまま９０°の偏光軸を有する第２偏光板１４８に入射し、それによって該当入射光は、第１偏光板１３６と直交をなす第２偏光板１４８によって遮断され、液晶表示装置２００は、ブラック状態を表示する。
【００５４】
このように、階調を表現するためには、必ず互いに対向する一対の基板間に一対の配向膜を介在させてその間に液晶を注入し、一定のピッチおよび方向を有するように液晶を配向させなければならなかった従来の液晶表示装置（図１の１００）とは異なって、本発明の第１実施例に係る液晶表示装置２００は、ナノカプセル液晶層１５０、それ自体の光学特性を利用してブラック状態を表現することができるので、別途の液晶配向が要らなくなる。
【００５５】
したがって、本発明の第１実施例に係る液晶表示装置２００は、従来の液晶表示装置（図１の１００）に必ず必要であった配向膜の印刷およびラビング工程を省略することができる。
【００５６】
次に、第１電極Ｖｐ１および第２電極Ｖｐ２に電界が印加される場合、ナノカプセル液晶層１５０が、第１偏光板１３６を通じて入射した光の偏光軸を９０°だけ回転させることで、液晶表示装置２００は、ホワイト状態を表示することになる。
【００５７】
具体的に、電界が印加されたオン状態では、ナノカプセル１５２の内部にある液晶分子１５１が電界方向と平行に配列されるため、液晶分子１５１の配向による複屈折効果が生じる。
【００５８】
そのとき、第１偏光板１３６を通じて入射した光は、ナノカプセル液晶層１５０の複屈折効果によってその偏光が変わるが、ナノカプセル液晶層１５０の複屈折の度合い（Δｎ×ｄ）が入射光のλ／２の条件を満たすと、入射光の偏光軸が９０°だけ回転し、第１偏光板１３６と直交をなす第２偏光板１４８に吸収されずにそのまま通過してホワイトを表示することになる。
【００５９】
ここで、第１電極Ｖｐ１および第２電極Ｖｐ２のそれぞれは、画素電極であり得る。すなわち、第１電極Ｖｐ１および第２電極Ｖｐ２には、薄膜トランジスタ（図１のＴｒ）で接続された画素電極Ｖｐ１、Ｖｐ２がそれぞれ形成され得る。
【００６０】
図３は、本発明の実施例が適用される液晶表示装置を概略的に示す構成図である。
【００６１】
図３に示すように、本発明の実施例に係る液晶表示装置２００は、液晶パネル１８０と、駆動回路部１９０と、バックライト１７０を備える。
【００６２】
液晶パネル１８０には、第１方向、例えば水平方向（行方向）へ伸びた複数のゲート配線ＧＬ１〜ＧＬｎがある。
【００６３】
そして、第１方向と交差する第２方向、例えば垂直方向（列方向）へ複数のデータ配線ＤＬ１〜ＤＬｍが伸びている。
【００６４】
このように、互いに交差する複数のゲート配線ＧＬｎ１〜ＧＬｎと複数のデータ配線ＤＬ１〜ＤＬｍは、マトリクス状に配置された複数の画素領域ＳＰを定義する。
【００６５】
液晶パネル１８０の各画素領域ＳＰは、薄膜トランジスタ（図１のＴｒ）、液晶キャパシタ（不図示）、そしてストレージキャパシタ（不図示）を含むことができる。
【００６６】
薄膜トランジスタ（図１のＴｒ）は、複数のゲート配線ＧＬ１〜ＧＬｎと複数のデータ配線ＤＬ１〜ＤＬｍとの交差部に形成される。
【００６７】
ここで、第１電極（図２のＶｐ１）および第２電極（図２のＶｐ２）のそれぞれは、薄膜トランジスタ（図１のＴｒ）とそれぞれ接続することができる。すなわち、各画素領域ＳＰには、２つの薄膜トランジスタ（図１のＴｒ）が配置され得る。
【００６８】
一方、第１電極（図２のＶｐ１）および第２電極（図２のＶｐ２）にデータ電圧が印加されると、これらの間に電界（Ｅｌｅｃｔｒｉｃ  Ｆｉｅｌｄ）が形成され、ナノカプセル液晶層（図２の１５０）を駆動することになる。
【００６９】
第１電極（図２のＶｐ１）および第２電極（図２のＶｐ２）の上部に位置するナノカプセル液晶層（図２の１５０）は、液晶キャパシタを構成する。一方、各画素領域ＳＰには、ストレージキャパシタがさらに構成され、第１電極（図２のＶｐ１）および第２電極（図２のＶｐ２）に印加されたデータ電圧を次のフレームまで保存する役割をする。
【００７０】
各画素領域ＳＰには、赤色（ｒｅｄ）、緑色（ｇｒｅｅｎ）、青色（ｂｌｕｅ）を表示するＲ・Ｇ・Ｂ画素領域ＳＰが用いられる。ここで、水平方向に互いに隣り合うＲ・Ｇ・Ｂ画素領域ＳＰは、映像表示の単位である画素（ｐｉｘｅｌ）を構成する。
【００７１】
バックライト１７０は、光を液晶パネル１８０に供給する役割をする。バックライト１７０の光源には、令陰極蛍光ランプ（Ｃｏｌｄ  ｃａｔｈｏｄｅ  Ｆｌｕｏｒｅｓｃｅｎｔ  Ｌａｍｐ：ＣＣＦＬ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）、発光ダイオード（Ｌｉｇｈｔ  Ｅｍｉｔｔｉｎｇ  Ｄｉｏｄｅ：ＬＥＤ）などを用いることができる。
【００７２】
駆動回路部１９０は、タイミング制御部１９３、ゲート駆動部１９５、データ駆動部１９６、ガンマ電圧供給部１９７、電源発生部１９８を含むことができる。
【００７３】
ここで、タイミング制御部１９３は、テレビシステムやビデオカードといった外部システムから映像データ（ＲＧＢ）、垂直同期信号や水平同期信号、メインクロック信号やデータイネーブル信号などの制御信号（ＴＣＳ）の入力を受ける。一方、示してはいないが、かかる信号は、タイミング制御部１９３に構成されたインターフェースを通じて入力され得る。
【００７４】
タイミング制御部１９３は、入力された制御信号（ＴＣＳ）を使用し、データ駆動部１９６を制御するためのデータ制御信号（ＤＣＳ）を生成する。
【００７５】
データ制御信号（ＤＣＳ）は、ソーススタートパルス（Ｓｏｕｒｃｅ  Ｓｔａｒｔ  Ｐｕｌｓｅ：ＳＳＰ）、ソースサンプリングクロック（Ｓｏｕｒｃｅ  Ｓａｍｐｌｉｎｇ  Ｃｌｏｃｋ：ＳＳＣ）、ソース出力イネーブル信号（Ｓｏｕｒｃｅ  Ｏｕｔｐｕｔ  Ｅｎａｂｌｅ：ＳＯＥ）、極性信号（Ｐｏｌａｒｉｔｙ：ＰＯＬ）などを含むことができる。
【００７６】
また、タイミング制御部１９３は、外部のシステムから映像データ（ＲＧＢ）の伝達を受け、それを整列してデータ駆動部１９６に伝達することができる。
【００７７】
また、タイミング制御部１９３は、入力された制御信号（ＴＣＳ）に応じて、ゲート駆動部１９５を制御するためのゲート制御信号（ＧＣＳ）を生成することができる。
【００７８】
そして、ガンマ電圧供給部１９７は、電源発生部１９８から発生する高電位電圧と低電位電圧を分圧してガンマ電圧（Ｖｇａｍｍａ）を生成し、それをデータ駆動部１９６に供給することができる。
【００７９】
ここで、データ駆動部１９６は、タイミング制御部１９３から供給されるデータ制御信号（ＤＣＳ）および映像データ（ＲＧＢ）に応じ、データ電圧を複数のデータ配線ＤＬ１〜ＤＬｍに供給する。
【００８０】
すなわち、ガンマ電圧（Ｖｇａｍｍａ）を使用して映像データ（ＲＧＢ）に対応するデータ電圧を生成し、生成されたデータ電圧を、対応するデータ配線ＤＬ１〜ＤＬｍに供給することができる。
【００８１】
電源発生部１９８は、液晶表示装置２００を駆動するに必要な様々な駆動電圧を生成することができる。
【００８２】
例えば、タイミング制御部１９３とデータ駆動部１９６とゲート駆動部１９５に供給される電源電圧、およびゲート駆動部１９５に供給されるゲートハイ電圧（Ｖｇｈ）とゲートロー電圧（Ｖｇｌ）などを生成することができる。
【００８３】
ゲート駆動部１９５は、タイミング制御部１９３から供給されるゲート制御信号（ＧＣＳ）に応じて複数のゲート配線ＧＬ１〜ＣＬｎを順次選択し、選択されたゲート配線ＧＬ１〜ＧＬｎにターンオン電圧を出力することができる。
【００８４】
ここで、ターンオン電圧によって、該当ゲート配線ＧＬ１〜ＧＬｎに接続された薄膜トランジスタＴｒがターンオンされ得る。
【００８５】
一方、次のフレームが選択されるまでは、ゲート配線ＧＬ１〜ＧＬｎにターンオフ電圧が供給され、薄膜トランジスタ（図１のＴｒ）は、ターンオフ状態を維持することができる。
【００８６】
図４Ａは、本発明の第１実施例に係る液晶表示装置の平面図であり、図４Ｂは、本発明の第１実施例に係る液晶表示装置の画素領域を概略的に示す図面である。
【００８７】
以下、本発明の第１実施例に係る液晶表示装置の一部である第１画素領域ＳＰ１ないし第４画素領域ＳＰ４を一例に説明する。
【００８８】
図面に示すように、本発明の第１実施例に係る液晶表示装置（図３の２００）は、互いに平行に順次離隔して配置される第１ゲート配線ＧＬ１ないし第４ゲート配線ＧＬ４と、第１ゲート配線ＧＬ１ないし第４ゲート配線ＧＬ４と交差して第１画素領域ＳＰ１ないし第４画素領域ＳＰ４をそれぞれ定義する第１データ配線ＤＬ１ないし第３データ配線ＤＬ３と、第１画素領域ＳＰ１ないし第４画素領域ＳＰ４に配置される第１電極Ｖｐ１および第２電極Ｖｐ２と、第１画素領域ＳＰ１ないし第４画素領域ＳＰ４に配置される第１薄膜トランジスタＴ１ないし第８薄膜トランジスタＴ８とを備えることができる。
【００８９】
具体的に、第１電極Ｖｐ１および第２電極Ｖｐ２は、複数のバーを持って交互に離隔して配置され、平面視において各画素領域ＳＰ１〜ＳＰ４の中心線ＣＬを基準にして対称に折れた形状を有することができる。
【００９０】
それによって、第１データ配線ＤＬ１ないし第３データ配線ＤＬ３も、平面視において各画素領域ＳＰ１〜ＳＰ４の中心線ＣＬを基準にして対称に折れた形状を有することができる。
【００９１】
すなわち、第１電極Ｖｐ１および第２電極Ｖｐ２と、第１データ配線ＤＬ１ないし第３データ配線ＤＬ３は、各画素領域ＳＰ１〜ＳＰ４の中心線ＣＬを基準にしてθ°だけ傾いて配置されるが、例えば、θ°は、３０°ないし９０°であり得る。さらに好ましくは、４５°であり得る。
【００９２】
それによって、視野角の変化による色差の発生を防止することができる。
【００９３】
また、図４Ｂを参照すると、第１薄膜トランジスタＴ１は、第２ゲート配線ＧＬ２および第１データ配線ＤＬ１に接続され、第１画素領域ＳＰ１の第１電極Ｖｐ１に第１データ電圧を供給することができる。
【００９４】
そして、第２薄膜トランジスタＴ２は、第２ゲート配線ＧＬ２および第２データ配線ＤＬ２に接続され、第１画素領域ＳＰ１の第２電極Ｖｐ２に第１データ電圧と反対レベルの第２データ電圧を供給することができる。
【００９５】
また、第３薄膜トランジスタＴ３は、第４ゲート配線ＧＬ４および第１データ配線ＤＬ１に接続され、第２画素領域ＳＰ２の第１電極Ｖｐ１に第１データ電圧を供給することができる。
【００９６】
そして、第４薄膜トランジスタＴ４は、第４ゲート配線ＧＬ４および第２データ配線ＤＬ２に接続され、第２画素領域ＳＰ２の第２電極Ｖｐ２に第２データ電圧を供給することができる。
【００９７】
また、第５薄膜トランジスタＴ５は、第１ゲート配線ＧＬ１および第２データ配線ＤＬ２に接続され、第３画素領域ＳＰ３の第１電極Ｖｐ１に第２データ電圧を供給することができる。
【００９８】
そして、第６薄膜トランジスタＴ６は、第１ゲート配線ＧＬ１および第３データ配線ＤＬ３に接続され、第３画素領域ＳＰ３の第２電極Ｖｐ２に第２データ電圧と反対レベルの第３データ電圧を供給することができる。
【００９９】
また、第７薄膜トランジスタＴ７は、第３ゲート配線ＧＬ３および第２データ配線ＤＬ２に接続され、第４画素領域ＳＰ４の第１電極Ｖｐ１に第２データ電圧を供給することができる。
【０１００】
そして、第８薄膜トランジスタＴ８は、第３ゲート配線ＧＬ３および第３データ配線ＤＬ３に接続され、第４画素領域ＳＰ４の第２電極Ｖｐ２に第３データ電圧を供給することができる。
【０１０１】
ここで、第１薄膜トランジスタＴ１ないし第８薄膜トランジスタＴ８のそれぞれは、ゲート配線ＧＬｎに接続されるゲート電極Ｇと、データ配線ＤＬｍに接続されるソース電極Ｓと、第１電極Ｖｐ１または第２電極Ｖｐ２に接続されるドレイン電極Ｄで構成することができる。
【０１０２】
また、これらの電極Ｖｐ１、Ｖｐ２間に位置する液晶は、液晶キャパシタＣｌｃを構成する。
【０１０３】
そして、ストレージキャパシタＣｓｔ１、Ｃｓｔ２を形成するためのゲート配線ＧＬｎと平行に共通配線Ｖｃｏｍが構成されている。
【０１０４】
ストレージキャパシタＣｓｔ１、Ｃｓｔ２は、液晶キャパシタに印加された電圧を、次の信号が入力されるまで一定に維持させる役割をする。
【０１０５】
かかるストレージキャパシタＣｓｔ１、Ｃｓｔ２は、信号維持の他、階調（ｇｒａｙ  ｓｃａｌｅ）表示を安定させ、フリッカーおよび残像（ａｆｔｅｒｉｍａｇｅ）を減少させるなどの効果を奏する。
【０１０６】
以下、本発明の第１実施例に係る液晶表示装置（図３Ａの２００）の駆動方法を説明する。
【０１０７】
まず、従来の液晶表示装置（図１の１００）は、データ配線から画素電極（図１の３４）へ供給されるデータ電圧のみスウィングする。
【０１０８】
すなわち、共通配線から共通電極４６へ供給される一定の共通電圧を基準にして、データ配線から画素電極３４へ、データ電圧が正極性（＋）と負極性（−）を繰り返して交互に供給される。
【０１０９】
しかしながら、本発明の第１実施例に係る液晶表示装置２００は、１つの画素領域に第１電極Ｖｐ１および第２電極Ｖｐ２、すなわち２つの画素電極が配置され、それぞれが全てスウィングする。
【０１１０】
また、奇数番目のデータ配線と偶数番目のデータ配線は、互いに反対するレベルのデータ電圧が供給される。例えば、一定の共通電圧を基準にして、奇数番目の第１データ配線ＤＬ１および第３データ配線ＤＬ３から正極性（＋）の電圧が供給される場合、偶数番目の第２データ配線ＤＬ２から第１データ電圧ＤＬ１および第３データ電圧ＤＬ３と反対の負極性（−）の電圧が供給される。
【０１１１】
それによって、１つの画素領域において、第１電極Ｖｐ１が正極性（＋）の電圧の場合、第２電極Ｖｐ２は、負極性（−）の電圧が供給され、第１電極Ｖｐ１が負極性（−）の電圧の場合、第２電極Ｖｐ２は、正極性（＋）の電圧が供給されて、第１電極Ｖｐ１と第２電極Ｖｐ２との電圧差が２倍高く形成され得る。
【０１１２】
したがって、従来の液晶表示装置（図１の１００）に比べて、本発明の第１実施例に係る液晶表示装置２００は、２倍の駆動電圧を各画素領域ＳＰ１〜ＳＰ４に印加することができ、ナノカプセル液晶層（図２の１５０）の透過率を向上させることができる。
【０１１３】
図４Ｃは、本発明の第１実施例に係る液晶表示装置の駆動回路が燃えた画像であり、図４Ｄは、各画素領域の第１電極および第２電極に供給されるデータ電圧の極性を示す図面である。
【０１１４】
液晶表示装置（図３Ａの２００）では、特定の停止画像を長時間駆動させた後、別の画像を表示しようとするときに、直前画像のパターンが残ってしまう場合があるが、これを残像と呼ぶ。
【０１１５】
ここで、残像は、第１電極Ｖｐ１と第２電極Ｖｐ２の間の液晶層（図２の１５０）に直流電圧（ＤＣ  ｖｏｌｔａｇｅ）が印加される場合に発生する。
【０１１６】
液晶分子（図２の１５１）は基本的に屈折率異方性を有し、直流電圧によって劣化しやすいため、かかる残像が発生しやすい。これを防止するため、一般的に交流駆動をする。
【０１１７】
そのため、第１電極Ｖｐ１および第２電極Ｖｐ２に印加される極性が常に固定した値であると、かかる現象が深化することもあるので、印加電圧の極性をフレームによって、または位置によって異なるようにする。そのための反転方式は、フレーム反転、ライン反転、カラム反転、ドット反転に区分される。
【０１１８】
反転駆動方式のうち、ドット反転方式は、フリッカーやクロストークといった画面の歪曲に対する抑制力が他の反転方式に比べて効果的である。
【０１１９】
しかしながら、本発明の第１実施例に係る液晶表示装置（図３Ａの２００）のように高電圧駆動が可能なように、１つの画素領域内に第１電極（図４ＢのＶｐ１）および第２電極（図４ＢのＶｐ２）のそれぞれに薄膜トランジスタＴを接続し、第１電極（図４ＢのＶｐ１）と第２電極（図４ＢのＶｐ２）の電圧差を利用してナノカプセル液晶層（図３の１５０）を駆動する構造では、ドット反転を具現化するために、データ駆動回路（Ｄｒｉｖｅ  Ｉｎｔｅｇｒａｔｅｄ  Ｃｉｒｃｕｉｔ：Ｄ‐ＩＣ）（図３Ａの１９６）の出力を１水平周期毎に変更する必要があり、データ駆動回路（図３Ａの１９６）に発熱の問題が発生する。
【０１２０】
したがって、図４Ｃに示すように、データ駆動回路（図３Ａの１９６）の発熱によって燃えてしまう問題が発生し、データ駆動回路（図３Ａの１９６）の出力をカラム反転方式で駆動するしかなくなる。
【０１２１】
その結果、図４Ｄに示すように、カラム反転駆動によって垂直方向に沿って同一の極性が配置され、垂直方向における画素同士間のクロストークによる垂直ライン間のフリッカーのような画面歪曲の問題が伴われる。
【０１２２】
このように、本発明の第１実施例に係る液晶表示装置（図３Ａの２００）は、１つの画素領域内の第１電極（図４ＢのＶｐ１）および第２電極（図４ＢのＶｐ２）のそれぞれに薄膜トランジスタ（図４ＢのＴ１〜Ｔ８）を接続し、第１電極（図４ＢのＶｐ１）と第２電極（図４ＢのＶｐ２）の電圧差を利用して２倍の駆動電圧を各画素領域（ＳＰ１〜ＳＰ４）に印加できるようになり、ナノカプセル液晶層（図２の１５０）の透過率を向上させることができる。
【０１２３】
しかしながら、データ駆動回路（図３Ａの１９６）の出力をドット反転方式で駆動する場合、データ駆動回路（図３Ａの１９６）が発熱によって燃えてしまう問題が発生し、カラム反転方式で駆動するしかなくなるため、フリッカーのような画面歪曲の問題が伴われる。
【０１２４】
第２実施例
以下では、第１実施例と同一または類似な構成に対する具体的な説明は、省略することがある。
【０１２５】
図５Ａは、本発明の第２実施例に係る液晶表示装置の平面図であり、図５Ｂは、本発明の第２実施例に係る液晶表示装置のドレイン電極の形状を概略的に示す拡大図である。図６は、本発明の第２実施例に係る液晶表示装置の画素領域を概略的に示す図面であり、図７Ａは、本発明の第２実施例の一例であってデータ駆動回路から出力される電圧の極性の反転周期を示す図面であり、また、図７Ｂは、各画素領域の極性を示す図面である。
【０１２６】
以下、本発明の第２実施例に係る液晶表示装置の一部である第１画素領域ＳＰ１ないし第４画素領域ＳＰ４を一例に説明する。
【０１２７】
図面に示すように、本発明の第２実施例に係る液晶表示装置３００は、互いに平行に順次離隔して配置される第１ゲート配線ＧＬ１ないし第４ゲート配線ＧＬ４と、第１ゲート配線ＧＬ１ないし第４ゲート配線ＧＬ４と交差して第１画素領域ＳＰ１ないし第４画素領域ＳＰ４をそれぞれ定義する第１データ配線ＤＬ１ないし第３データ配線ＤＬ３と、第１画素領域ＳＰ１ないし第４画素領域ＳＰ４にそれぞれ配置される第１電極Ｖｐ１および第２電極Ｖｐ２と、第１画素領域ＳＰ１ないし第４画素領域ＳＰ４に配置される第１薄膜トランジスタＴ１ないし第８薄膜トランジスタＴ８とを備えることができる。
【０１２８】
具体的に、第１電極Ｖｐ１および第２電極Ｖｐ２は、複数のバーを持って交互に離隔して配置され、平面視において各画素領域ＳＰ１〜ＳＰ４の中心線ＣＬを基準にして対称に折れた形状を有することができる。
【０１２９】
それによって、第１データ配線ＤＬ１ないし第３データ配線ＤＬ３も、平面視において各画素領域ＳＰ１〜ＳＰ４の中心線ＣＬを基準にして対称に折れた形状を有することができる。
【０１３０】
すなわち、第１電極Ｖｐ１および第２電極Ｖｐ２と、第１データ配線ＤＬ１ないし第３データ配線ＤＬ３は、各画素領域ＳＰ１〜ＳＰ４の中心線ＣＬを基準にしてθ°だけ傾いて配置されるが、例えば、θ°は、３０°ないし９０°であり得る。さらに好ましくは、４５°であり得る。
【０１３１】
それによって、視野角の変化による色差の発生を防止することができる。
【０１３２】
また、第１薄膜トランジスタＴ１は、第２ゲート配線ＧＬ２および第１データ配線ＤＬ１に接続され、第１画素領域ＳＰ１の第１電極Ｖｐ１に第１データ電圧を供給することができる。
【０１３３】
そして、第２薄膜トランジスタＴ２は、第２ゲート配線ＧＬ２および第２データ配線ＤＬ２に接続され、第１画素領域ＳＰ１の第２電極Ｖｐ２に第１データ電圧と反対レベルの第２データ電圧を供給することができる。
【０１３４】
また、第３薄膜トランジスタＴ３は、第４ゲート配線ＧＬ４および第１データ配線ＤＬ１に接続され、第２画素領域ＳＰ２の第２電極Ｖｐ２に第１データ電圧を供給することができる。
【０１３５】
そして、第４薄膜トランジスタＴ４は、第４ゲート配線ＧＬ４および第２データ配線ＤＬ２に接続され、第２画素領域ＳＰ２の第１電極Ｖｐ１に第２データ電圧を供給することができる。
【０１３６】
また、第５薄膜トランジスタＴ５は、第１ゲート配線ＧＬ１および前記第２データ配線ＤＬ２に接続され、第３画素領域ＳＰ３の第１電極Ｖｐ１に第２データ電圧を供給することができる。
【０１３７】
そして、第６薄膜トランジスタＴ６は、第１ゲート配線ＧＬ１および第３データ配線ＤＬ３に接続され、第３画素領域ＳＰ３の第２電極Ｖｐ２に第２データ電圧と反対レベルの第３データ電圧を供給することができる。
【０１３８】
また、第７薄膜トランジスタＴ７は、第３ゲート配線ＧＬ３および第２データ配線ＤＬ２に接続され、第４画素領域ＳＰ４の第２電極Ｖｐ２に第２データ電圧を供給することができる。
【０１３９】
そして、第８薄膜トランジスタＴ８は、第３ゲート配線ＧＬ３および第３データ配線ＤＬ３に接続され、第４画素領域ＳＰ４の第１電極Ｖｐ１に第３データ電圧を供給することができる。
【０１４０】
ここで、第１薄膜トランジスタＴ１ないし第８薄膜トランジスタＴ８のそれぞれは、ゲート配線ＧＬｎに接続されるゲート電極Ｇと、データ配線ＤＬｍに接続されるソース電極Ｓと、第１電極Ｖｐ１または第２電極Ｖｐ２に接続されるドレイン電極Ｄで構成することができる。
【０１４１】
また、これらの電極Ｖｐ１、Ｖｐ２間に位置する液晶は、液晶キャパシタＣｌｃを構成する。
【０１４２】
そして、ストレージキャパシタＣｓｔ１、Ｃｓｔ２を形成するためのゲート配線ＧＬｎと平行に共通配線Ｖｃｏｍが構成されている。
【０１４３】
ストレージキャパシタＣｓｔ１、Ｃｓｔ２は、液晶キャパシタＣｌｃに印加された電圧を、次の信号が入力されるまで一定に維持させる役割をする。
【０１４４】
かかるストレージキャパシタＣｓｔ１、Ｃｓｔ２は、信号維持の他、階調表示を安定させ、フリッカーおよび残像を減少させるなどの効果を奏する。
【０１４５】
これについてさらに詳細に説明すると、第１薄膜トランジスタＴ１ないし第８薄膜トランジスタＴ８のそれぞれは、ゲート電極Ｇと、前記ゲート電極Ｇの上部に互いに離隔して形成されるソース電極Ｓおよびドレイン電極Ｄを含むことができる。
【０１４６】
すなわち、ゲート配線ＧＬの一部を構成するゲート電極Ｇと、データ配線ＤＬに接続されたソース電極Ｓ、および第１電極Ｖｐ１または第２電極Ｖｐ２に電気的に接続されたドレイン電極Ｄで構成されている。
【０１４７】
また、それぞれのドレイン電極Ｄと、ドレイン電極Ｄの下部に配置された共通配線Ｖｃｏｍとが重なる領域で定義されるストレージキャパシタＣｓｔ１、Ｃｓｔ２を含むことができる。
【０１４８】
ここで、本発明の第２実施例に係る液晶表示装置３００のドレイン電極Ｄは、第１ドレイン電極Ｄ１ないし第３ドレイン電極Ｄ３からなり得る。すなわち、形態の異なる３つのドレイン電極Ｄ１、Ｄ２、Ｄ３を配置することができる。
【０１４９】
また、第１ドレイン電極Ｄ１ないし第３ドレイン電極Ｄ３のそれぞれは、伸延部ＬＥと接続部ＳＣを含むことができ、接続部ＳＣには、ドレイン電極Ｄ１、Ｄ２、Ｄ３の一部を露出させるコンタクトホールＣＨを形成することができ、コンタクトホールＣＨを介してドレイン電極Ｄ１、Ｄ２、Ｄ３と第１電極Ｖｐ１または第２電極Ｖｐ２を接続することができる。
【０１５０】
ここで、第１ドレイン電極Ｄ１の伸延部ＬＥは、第１幅Ｗおよび第１長さＬ１を有し、接続部ＳＣは、第１面積Ｅ１を有することができる。
【０１５１】
また、第２ドレイン電極Ｄ２の伸延部ＬＥは、第１幅Ｗおよび第１長さＬ１より長い第２長さＬ２を有し、第２ドレイン電極Ｄ２の接続部ＳＣは、第１面積Ｅ１より小さい第２面積Ｅ２を有することができる。すなわち、第２ドレイン電極Ｄ２の伸延部ＬＥは、第１ドレイン電極Ｄ１の伸延部ＬＥと同じ幅Ｗを有して、第１ドレイン電極Ｄ１の伸延部ＬＥより長く形成し、第２ドレイン電極Ｄ２の接続部ＳＣは、第１ドレイン電極Ｄ１の接続部ＳＣより小さく形成することができる。
【０１５２】
そして、第３ドレイン電極Ｄ３の伸延部ＬＥは、第１幅Ｗおよび第１長さＬ１を有し、接続部ＳＣは、第２面積Ｅ２より大きい第３面積Ｅ３を有することができる。すなわち、第３ドレイン電極Ｄ３の伸延部ＬＥは、第１ドレイン電極Ｄ１の伸延部ＬＥの第１幅Ｗと同じ幅を有し、第１長さＬ１と同じ長さを有することができる。
【０１５３】
また、第３ドレイン電極Ｄ３の接続部ＳＣは、互いに大きさの異なる四角形が接合されているような形状を有することができる。
【０１５４】
ここで、第１ドレイン電極Ｄ１ないし第３ドレイン電極Ｄ３のそれぞれの伸延部ＬＥおよび接続部ＳＣを含む面積は、互いに同一に形成することができる。すなわち、下部で共通配線Ｖｃｏｍと重なる領域は、同一であり得る。
【０１５５】
したがって、ストレージキャパシタＣｓｔ１、Ｃｓｔ２の容量は、同一に形成することができる。
【０１５６】
また、第１画素領域ＳＰ１の第１電極Ｖｐ１および第２電極Ｖｐ２のそれぞれに第１ドレイン電極Ｄ１を接続することができる。すなわち、第１画素領域ＳＰ１には、２つの第１ドレイン電極Ｄ１を配置することができる（第１配置）。
【０１５７】
そして、第２画素領域ＳＰ２の第１電極Ｖｐ１に第３ドレイン電極Ｄ３を接続し、第２電極Ｖｐ２に第２ドレイン電極Ｄ２を接続することができる。すなわち、第２画素領域ＳＰ２には、形態の異なる第２ドレイン電極Ｄ２および第３ドレイン電極Ｄ３を配置することができる（第２配置）。
【０１５８】
また、第１配置および第２配置は、列に沿って交互に配置することができ、行に沿って交互に配置することもできる。
【０１５９】
そして、２つの行は、第１配置を有して、その次の２つの行は、第２配置を有することができる。言い換えると、２行毎に配置関係を異なるようにすることができる。
【０１６０】
また、４つの行は、第１配置を有し、その次の４つの行は、第２配置を有することができる。言い換えると、４行毎に配置関係を異なるようにすることができる。このように、本発明の第２実施例に係る液晶表示装置３００は、第２画素領域ＳＰ２と第４画素領域ＳＰ４とにおける第１電極Ｖｐ１および第２電極Ｖｐ２に供給されるデータ電圧が交差するように構成されている。
【０１６１】
すなわち、奇数番目の行の画素領域それぞれにおける第１電極Ｖｐ１および第２電極Ｖｐ２にそれぞれ供給されるデータ電圧は、偶数番目の行の画素領域それぞれの第１電極Ｖｐ１および第２電極Ｖｐ２に互いに交差して供給される。
【０１６２】
以下、本発明の第２実施例に係る液晶表示装置３００の駆動方法を説明する。
【０１６３】
まず、従来の液晶表示装置（図１の１００）は、データ配線から画素電極（図１の３４）へ供給されるデータ電圧のみスウィングする。
【０１６４】
すなわち、共通配線から共通電極（図１の４６）へ供給される一定の共通電圧を基準にして、データ配線から画素電極（図１の３４）へ、データ電圧が正極性（＋）と負極性（−）を繰り返して交互に供給される。
【０１６５】
しかしながら、本発明の第２実施例に係る液晶表示装置３００は、１つの画素領域に第１電極Ｖｐ１および第２電極Ｖｐ２からなる２つの画素電極が配置され、印加されるデータ電圧全てがスウィングする。すなわち、１つの画素領域に２つの薄膜トランジスタＴが配置され得る。
【０１６６】
したがって、データ駆動回路（図３Ａの１９６）から出力される電圧を全て駆動電圧に用いることができる。例えば、データ駆動回路（図３Ａの１９６）の出力電圧が０Ｖ〜２７Ｖである場合、第１電極Ｖｐ１に２７Ｖを印加し、第２電極Ｖｐ２に０Ｖを印加することで、駆動電圧を２７Ｖ使用することができる。
【０１６７】
また、奇数番目のデータ配線と偶数番目のデータ配線からは、互いに反対するレベルのデータ電圧が供給される。例えば、一定の共通電圧を基準にして、奇数番目の第１データ配線ＤＬ１および第３データ配線ＤＬ３から正極性（＋）の電圧が供給される場合、偶数番目の第２データ配線ＤＬ２から第１データ電圧ＤＬ１および第３データ電圧ＤＬ３と反対の負極性（−）の電圧が供給される。
【０１６８】
例えば、奇数番目のデータ配線ＤＬに２７Ｖの電圧が印加された場合、偶数番目のデータ配線ＤＬには、０Ｖの電圧が印加され得る。
【０１６９】
それぞれの画素領域ＳＰ１〜ＳＰ４に一定の共通配線を基準にして、第１電極Ｖｐ１が正極性（＋）の電圧の場合、第２電極Ｖｐ２は、負極性（−）の電圧が供給され、第１電極Ｖｐ１が負極性（−）の電圧の場合、第２電極Ｖｐ２は、正極性（＋）の電圧が供給されて、第１電極Ｖｐ１と第２電極Ｖｐ２との電圧差が２倍高く形成できるようになる。
【０１７０】
したがって、従来の液晶表示装置（図１の１００）に比べて、本発明の第２実施例に係る液晶表示装置３００は、２倍のデータ電圧を各画素領域ＳＰ１〜ＳＰ４に印加することができ、ナノカプセル液晶層（図２の１５０）の透過率を向上させることができる。
【０１７１】
特に、データ駆動回路（図３Ａの１９６）からカラム反転方式でデータ電圧が出力される場合においても、液晶パネル（図３Ａの１８０）は、ドット反転方式で具現化することができる。
【０１７２】
これについて詳細に説明すると、図７Ａに示すように、データ電圧は、フレーム毎に極性が変わる。
【０１７３】
例えば、一定の共通配線を基準にして、第１フレーム（１ＳＴ  ＦＲＡＭＥ）において、奇数番目のデータ配線から出力されるデータ電圧が正極性（＋）であって、偶数番目のデータ配線から出力されるデータ電圧が負極性（−）の場合、第２フレーム（２ＮＤ  ＦＲＡＭＥ）において、奇数番目のデータ配線から出力されるデータ電圧は、負極性（−）であって、偶数番目のデータ配線から出力されるデータ電圧は、正極性（＋）であり得る。
【０１７４】
図６および図７Ｂを参照すると、本発明の第２実施例に係る液晶表示装置（図５の３００）の第１画素領域および第２画素領域（図６のＳＰ１、ＳＰ２）を基準にして、奇数番目の行の画素領域（図６のＳＰ１）は、第１データ配線（図６のＤＬ１）を通じて印加される第１データ電圧を隣接する第１電極Ｖｐ１に接続させ、第２データ配線（図６のＤＬ２）を通じて印加される第２データ電圧を隣接する第２電極Ｖｐ２に接続（以下、第１接続Ａ）させることができる。
【０１７５】
そして、偶数番目の行の画素領域（図６のＳＰ２）では、第１データ配線（図６のＤＬ１）を通じて印加される第１データ電圧を隣接していない第２電極Ｖｐ２に接続させ、第２データ配線（図６のＤＬ２）を通じて印加される第２データ電圧を隣接していない第１電極Ｖｐ１に接続（以下、第２接続Ｂ）させることができる。
【０１７６】
すなわち、奇数番目の行の画素領域ＳＰのそれぞれは、第１接続Ａの関係を持ち、偶数番目の行の画素領域ＳＰのそれぞれは、奇数番目の行と交差した接続である第２接続Ｂの関係を持つことができる。
【０１７７】
ここで、説明の便宜上、それぞれの画素領域ＳＰ毎に一定の共通配線を基準にして、第１電極に正極性（＋）の電圧が印加されて第２電極に負極性（−）の電圧が印加された画素領域ＳＰを「＋」と表し、第１電極に負極性（−）の電圧が印加されて第２電極に正極性（＋）の電圧が印加された画素領域ＳＰを「−」と表す。
【０１７８】
このように、それぞれの画素領域ＳＰは、水平方向および垂直方向に隣接した画素領域ＳＰの全てと相反する極性を有し、フレーム毎にそれぞれの画素領域ＳＰの極性が反転する。
【０１７９】
すなわち、第１フレームの場合、左上段の画素領域ＳＰから右側および下側へ向かって、正極性（＋）と負極性（−）が交互に現れるよう、データ電圧を画素領域ＳＰに供給し、その後、第２フレームの場合、左上段の画素領域ＳＰから右側および下側へ向かって、負極性（−）と正極性（＋）が交互に現れるよう、データ電圧を画素領域ＳＰに供給することができるようになる。
【０１８０】
したがって、データ駆動回路（図３Ａの１９６）の出力は、カラム反転方式であるが、液晶パネル（図３Ａの１８０）は、ドット反転方式で具現化することができ、フリッカー現象を効果的に改善することができる。
【０１８１】
このように、本発明の第２実施例に係る液晶表示装置（図５の３００）は、高電圧駆動を通じてナノカプセル液晶層（図２の１５０）の透過率を効果的に向上させることができる。
【０１８２】
かかる高電圧駆動は、ナノカプセル液晶層（図２の１５０）を備える液晶表示装置の他、様々な表示装置における透過率を向上させることができる。
【０１８３】
また、データ駆動回路（図３Ａの１９６）の出力は、カラム反転方式であるが、液晶パネル（図３Ａの１８０）は、ドット反転方式で具現化できるので、データ駆動回路（図３Ａの１９６）が発熱することなく、フリッカー現象を効果的に改善することができる。
【０１８４】
図８および図９は、本発明の変形例を示す図面である。
【０１８５】
本発明における第１接続Ａおよび第２接続Ｂの配置は、必要によって様々に変形することができる。
【０１８６】
図８Ａに示すように、第１画素領域ＳＰ１ないし第８画素領域ＳＰ８を例に説明すると、液晶表示装置は、互いに平行に順次離隔して配置される第１ゲート配線ＧＬ１ないし第８ゲート配線ＧＬ８と、第１ゲート配線ＧＬ１ないし第８ゲート配線ＧＬ８と交差して第１画素領域ＳＰ１ないし第８画素領域ＳＰ８をそれぞれ定義する第１データ配線ＤＬ１ないし第３データ配線ＤＬ３と、第１画素領域ＳＰ１ないし第８画素領域ＳＰ８にそれぞれ配置される第１電極Ｖｐ１および第２電極Ｖｐ２と、第１画素領域ＳＰ１ないし第８画素領域ＳＰ８に配置される第１薄膜トランジスタＴ１ないし第１６薄膜トランジスタＴ１６を備えることができる。
【０１８７】
ここで、２つの行の画素領域ＳＰは、第１接続Ａの関係を持ち、その次の２つの行の画素領域ＳＰは、第２接続Ｂの関係を持つように配置することができる。言い換えると、２行毎に接続の関係が異なるように配置することができる。
【０１８８】
例えば、第１行の画素領域ＳＰおよび第２行の画素領域ＳＰは、第１接続Ａの関係を持ち、第３行および第４行の画素領域ＳＰは、第２接続Ｂの関係を持つようにすることができる。
【０１８９】
かかる接続を通じ、図８Ｂに示すようにデータ駆動回路（図３Ａの１９６）は、カラム反転方式で出力されるが、液晶パネル（図３Ａの１８０）は、垂直２ドット反転方式で具現化することができる。
【０１９０】
さらに、図９Ａに示すように、液晶表示装置は、互いに平行に順次離隔して配置される第１ゲート配線ＧＬ１ないし第１６ゲート配線ＧＬ１６と、第１ゲート配線ＧＬ１ないし第１６ゲート配線ＧＬ１６と交差して第１画素領域ＳＰ１ないし第１６画素領域ＳＰ１６をそれぞれ定義する第１データ配線ＤＬ１ないし第３データ配線ＤＬ３と、第１画素領域ＳＰ１ないし第１６画素領域ＳＰ１６にそれぞれ配置される第１電極Ｖｐ１および第２電極Ｖｐ２と、第１画素領域ＳＰ１ないし第１６画素領域ＳＰ１６に配置される第１薄膜トランジスタＴ１ないし第３２薄膜トランジスタＴ３２を備えることができる。
【０１９１】
ここで、４つの行の画素領域ＳＰは、第１接続Ａの関係を持ち、その次の４つの行の画素領域ＳＰは、第２接続Ｂの関係を持つように配置することができる。言い換えると、４行毎に接続の関係が異なるように配置することができる。
【０１９２】
例えば、第１行ないし第４行の画素領域ＳＰは、第１接続Ａの関係を持ち、第５行ないし第８行の画素領域ＳＰは、第２接続Ｂの関係を持つようにすることができる。
【０１９３】
かかる接続を通じ、図９Ｂに示すようにデータ駆動回路（図３Ａの１９６）は、カラム反転方式で出力されるが、液晶パネル（図３Ａの１８０）は、垂直４ドット反転方式で具現化することができる。
【０１９４】
変形例を説明するに当たり、垂直２ドット反転方式と垂直４ドット反転方式を例に説明したが、これに限定されるものではない。データ駆動回路（図３Ａの１９６）は、カラム反転方式で出力されるが、本発明における第１接続Ａおよび第２接続Ｂを通じ、液晶パネル（図３Ａの１８０）は、様々な反転方式で具現化することができる。
【０１９５】
したがって、高電圧駆動を可能にすると共にデータ駆動回路の発熱問題を防止し、フリッカー現象を効果的に改善することができる。
【０１９６】
以上、本発明の好適な実施例を参照して説明したが、当該技術分野における熟練した当業者であれば、特許請求の範囲に記載された本発明の技術的思想および領域から外れない範囲内で、本発明を様々に修正および変更できることを理解できるであろう。
【符号の説明】
【０１９７】
ＧＬｎ  ゲート配線、ＧＬ１  第１ゲート配線、ＧＬ２  第２ゲート配線、ＧＬ３  第３ゲート配線、ＧＬ４  第４ゲート配線、ＤＬｍ  データ配線、ＤＬ１  第１データ配線、ＤＬ２  第２データ配線、ＤＬ３  第３データ配線、ＳＰ１  第１画素領域、ＳＰ２  第２画素領域、ＳＰ３  第３画素領域、ＳＰ４  第４画素領域、Ｔ１  第１薄膜トランジスタ、Ｔ２  第２薄膜トランジスタ、Ｔ３  第３薄膜トランジスタ、Ｔ４  第４薄膜トランジスタ、Ｔ５  第５薄膜トランジスタ、Ｔ６  第６薄膜トランジスタ、Ｔ７  第７薄膜トランジスタ、Ｔ８  第８薄膜トランジスタ、Ｖｐ１  第１電極、Ｖｐ２  第２電極、Ｃｌｃ  液晶キャパシタ、Ａ  第１接続、Ｂ  第２接続。
【図１】
2018109766.tif 000003
【図２】
2018109766.tif 000004
【図３】
2018109766.tif 000005
【図４Ａ】
2018109766.tif 000006
【図４Ｂ】
2018109766.tif 000007
【図４Ｃ】
2018109766.tif 000008
【図４Ｄ】
2018109766.tif 000009
【図５Ａ】
2018109766.tif 000010
【図５Ｂ】
2018109766.tif 000011
【図６】
2018109766.tif 000012
【図７Ａ】
2018109766.tif 000013
【図７Ｂ】
2018109766.tif 000014
【図８Ａ】
2018109766.tif 000015
【図８Ｂ】
2018109766.tif 000016
【図９Ａ】
2018109766.tif 000017
【図９Ｂ】
2018109766.tif 000018